(57)【要約】【課題】複写機などの装置上部に装着される自動原稿搬送装置において、所定位置に対し、原稿のセットおよび回収といったユーザによる作業の操作性を向上させること。【解決手段】ユーザによってセットされた処理対象の原稿束を、所定の搬送位置に一枚ずつ搬送し、所定の処理後に所定位置に自動的に回収する自動原稿搬送装置において、ユーザが操作手前に引き出し、上記処理対象となる原稿束をセットするための引き出し原稿トレイ１３０を備える。【選択図】        図２
2005080213.tif 000002
【特許請求の範囲】
【請求項１】
セットされた処理対象の原稿束を、所定位置に一枚ずつ搬送し、所定の処理後に回収する自動原稿搬送装置において、
操作手前に引き出し、前記原稿束をセットするための引き出し型載置トレイを備えたことを特徴とする自動原稿搬送装置。
【請求項２】
前記引き出し型載置トレイは、搬送後の原稿を回収することを特徴とする請求項１に記載の自動原稿搬送装置。
【請求項３】
さらに、前記引き出し型載置トレイによる搬送時および搬送ジャム発生時の場合、前記引き出し型載置トレイをロックするロック手段を備えたことを特徴とする請求項１または２に記載の自動原稿搬送装置。
【請求項４】
さらに、前記引き出し型載置トレイ内に原稿がセットされている状態および搬送完了状態それぞれを表示する原稿状態表示手段を備えていることを特徴とする請求項１，２または３に記載の自動原稿搬送装置。
【請求項５】
さらに、前記引き出し型載置トレイ内にセットされた原稿を搬送し処理した後、他のトレイの排出する排出手段を備えたことを特徴とする請求項１〜４の何れか一つに記載の自動原稿搬送装置。
【発明の詳細な説明】
【技術分野】
【０００１】
本発明は、複写機やファクシミリ装置などの画像形成装置や画像読取装置に搭載され、セットされた原稿束を読取部分に一枚ずつ搬送する自動原稿搬送装置に関するものである。
【背景技術】
【０００２】
従来、複写機などの画像形成装置は、一般的なオフィスユーザでは、複写対象の原稿束を一枚ずつスキャナの読取位置に自動的に搬送する原稿搬送装置が搭載されている。また、こ搬送された原稿の排出先を複数有し、搬送路を切り替えて選択した排出先に排出を行なう原稿搬送装置が開示されている（たとえば、特許文献１参照）。
【０００３】
複写機による画像の複写を行う場合、読取装置は複写機の上部にあり、ガラスの上に位置を合わせてセットして厚板で固定するか、自動原稿搬送装置の所定の位置にセットすると、装置のローラにより読み取り装置まで搬送して読み取り行うのが、一般的である。
【０００４】
【特許文献１】特開平６−１１５７８９号公報
【発明の開示】
【発明が解決しようとする課題】
【０００５】
しかしながら、上記に示されるような従来の原稿搬送装置にあっては、ユーザーが立った状態でセットすることを想定した高さとしているので、立ち作業においては支障が生じることは少ないが、座った姿勢で操作する場合や奥側にセットする場合において、原稿搬送装置の上部にかかることから、手を伸ばしてセットする必要があるため、原稿のセットや回収における操作が困難になるという問題点があった。
【０００６】
本発明は、上記に鑑みてなされたものであって、複写機などの上部に装着される自動原稿搬送装置において、原稿のセットおよび回収といった作業の操作性を向上させることを目的とする。
【課題を解決するための手段】
【０００７】
上述した課題を解決し、目的を達成するために、請求項１にかかる発明は、セットされた処理対象の原稿束を、所定位置に一枚ずつ搬送し、所定の処理後に回収する自動原稿搬送装置において、操作手前に引き出し、前記原稿束をセットするための引き出し型載置トレイを備えたことを特徴とする。
【０００８】
この請求項１にかかる発明によれば、自動原稿搬送装置において、原稿束をセットするトレイを手前に引き出すように構成し、手前側にトレイを引き出して原稿をセットすることで、装置上部にセットする従来の作業に対し、操作しやすい位置での作業が可能になる。
【０００９】
また、請求項２にかかる発明は、前記引き出し型載置トレイは、搬送後の原稿を回収することを特徴とする。
【００１０】
この請求項２にかかる発明によれば、請求項１において、たとえば読取処理後の原稿が引き出し型のトレイに搬送して回収することにより、処理後の原稿を手前側の操作しやすい位置で取り出すことが可能になる。
【００１１】
また、請求項３にかかる発明は、さらに、前記引き出し型載置トレイによる搬送時および搬送ジャム発生時の場合、前記引き出し型載置トレイをロックするロック手段を備えたことを特徴とする。
【００１２】
この請求項３にかかる発明によれば、請求項１または２において、引き出し型のトレイによる搬送が行なわれていた場合や原稿の搬送ジャムが発生した場合に、このトレイの引き出しが行なわれないようにロックすることにより、搬送中の原稿を傷めたり、ジャム時の原稿を破損するといった事態を回避することが可能になる。
【００１３】
また、請求項４にかかる発明は、さらに、前記引き出し型載置トレイ内に原稿がセットされている状態および搬送完了状態それぞれを表示する原稿状態表示手段を備えていることを特徴とする。
【００１４】
この請求項４にかかる発明によれば、請求項１，２または３において、当該トレイを使用して原稿読み取りを行なう場合、トレイに原稿が残っているか、また原稿読み取りが終了したかを、この原稿表示手段で外部から確認することが可能になる。
【００１５】
また、請求項５にかかる発明は、さらに、前記引き出し型載置トレイ内にセットされた原稿を搬送し処理した後、他のトレイの排出する排出手段を備えたことを特徴とする。
【００１６】
この請求項５にかかる発明によれば、請求項１〜４の何れか一つにおいて、引き出し型のトレイに原稿をセットし、読み取り終了した後、当該原稿を他のトレイ、たとえば後処理装置側に設置されたトレイに排紙することにより、原稿の取り出しが簡単になる。
【発明の効果】
【００１７】
本発明（請求項１）にかかる自動原稿搬送装置は、原稿のセット時にトレイを引き出してセットすることで、前に乗り出してセットする必要がなく、位置合わせがしやすくなる。また、上部セットの自動原稿搬送装置よりも低い位置でセットできるため、ハンディキャップのある人でもセットがしやすくなり、原稿のセット時における操作性が向上するという効果を奏する。
【００１８】
また、本発明（請求項２）にかかる自動原稿搬送装置は、引き出し原稿トレイにセットした原稿は、読み取り後に再度原稿トレイに戻すため、原稿の回収をセット時と同じ動作範囲ででき、ハンディキャップのある人でも同じ動作の繰り返しでセットと回収ができ、これらの操作性が向上するという効果を奏する。
【００１９】
また、本発明（請求項３）にかかる自動原稿搬送装置は、動作中およびジャム発生時の引き出しトレイの引出しを不可能とすることにより、搬送路中にある原稿がトレイとの間にはさまり傷めてしまうといった事態を回避することができるという効果を奏する。
【００２０】
また、本発明（請求項４）にかかる自動原稿搬送装置は、引き出し原稿トレイに、原稿の有り無しおよび読み込み済であるかを示す表示機能を設けたことにより、外部から見て、その状態を認識することができるため、つぎの動作へスムーズに移行可能になるという効果を奏する。
【００２１】
また、本発明（請求項５）にかかる自動原稿搬送装置は、たとえば、後処理装置側のプリント紙近くに原稿を排出することにより、通常の原稿排出先より低く回収しやすい位置となり、原稿の回収がしやすくなるという効果を奏する。
【発明を実施するための最良の形態】
【００２２】
（実施の形態）
以下、本発明にかかる自動原稿搬送装置の最良な実施の形態について添付図面を参照し、詳細に説明する。なお、本発明はこの実施の形態に限定されるものではない。
【００２３】
本発明は、複写機やファクシミリ装置などの画像形成装置の上部に搭載される自動原稿搬送装置において、原稿束をセットする原稿トレイを操作側手前に引き出し可能な構成とすることで、原稿のセット性を向上させると共に、読取後の原稿をこの引き出し原稿トレイに回収するようにすることで、複数枚の原稿複写後の回収を簡単に実現するものである。以下、具体的に説明する。
【００２４】
図１は、本発明の実施の形態にかかる自動原稿搬送装置（Ａｕｔｏ  Ｄｏｃｕｍｅｎｔ  Ｆｅｅｄｅｒ、以下、ＡＤＦと記述する）を搭載した複写機の構成例を示す説明図である。図において、符号１０４は各種の記録紙を積載し、その記録紙を１枚ずつ給紙する給紙部、符号１０５は記録紙を中量程度収容する給紙トレイ、符号１０６は大量の記録紙が収納可能な給紙バンク、符号１０７は記録後の記録紙が排紙されるプリント用紙排紙トレイ、符号１３０は記録後の記録紙を仕分けして排紙する排紙ソーター、符号１１０は複写操作における各種の指示や状態表示などを行なうための操作パネル、符号１２０は後述するように構成されるＡＤＦである。
【００２５】
また、符号１３０は操作側手前に引き出して原稿をセットするように構成された引き出し原稿トレイ、符号１３１は引き出し原稿トレイ１３０を引き出すための引き出し原稿トレイ取っ手、符号１３２は装置上部に設けられた上部原稿トレイ、符号１３３は必要に応じて読み取り後の原稿を排紙する原稿排紙トレイである。
【００２６】
図２は、本発明の実施の形態にかかるＡＤＦの構成を示す説明図であり、図３は、ＡＤＦと画像形成装置のシステム構成を示すブロック図である。これらの図において、符号１３５は光源・ミラーを含む走行ユニット、符号１２３は引き出し原稿トレイ１３０にセットされた原稿を給紙する引き出し原稿トレイ原稿給紙ローラ、符号１２４は給紙された原稿を読み取り部分に搬送する読み取り搬送ローラ、符号１２５は上部原稿トレイの原稿を給紙する上部原稿トレイ給紙ローラ、符号１２７は引き出し原稿トレイ１３０に設けられた引き出し給紙センサである。
【００２７】
また、符号１３３は読み取り後の原稿を排紙するための原稿排紙トレイ、符号１３５は搬送路をソレノイド（不図示）により所定側に切り替える搬送路切り替え爪、符号１３６はミラーを含む走行ユニット2、符号１３７は読み取った反射光をつぎのＣＣＤに結像させるためのレンズ、符号１３８はＣＣＤ（電荷結合素子）が搭載されたＣＣＤユニット、符号１３９は読み取り後の原稿の排紙経路を切り替えるための排紙切り替え爪である。
【００２８】
また、図３において、符号１００は複写機、符号１０１は複写機１００を統括的に制御すると共に、ソータやＡＤＦなどの周辺機器と相互通信を行なってシーケンス制御を実行するシステムコントローラ、符号１０２は上記走行ユニット、レンズ、ＣＣＤユニットなどからなる原稿読取部、符号１０３は電子写真プロセスにしたがって画像を形成する作像部、符号１０４は前述の給紙部、符号１１１は操作状態や装置のステータスなどを表示するディスプレイ、符号１１２はテンキー群、符号１１３は複写開始に押下されるコピースタートボタンである。
【００２９】
また、符号１２１はＡＤＦ１２０全体を制御するＡＤＦ制御部、符号１２２は引き出し原稿トレイ１３０の原稿有無状態を表示する状態表示部、符号１２６はＡＤＦ１２０の各ローラを駆動するローラ駆動部、符号１２８は引き出し原稿トレイ１３０における引き出しのロック／ロック解除を行なうためのロック部、符号１２９はＡＤＦ１２０の搬送路の所定位置に設けられ、ジャム検知などを行なうための搬送センサである。
【００３０】
つぎに、上記ＡＤＦの動作例について説明する。引き出し原稿トレイ１３０にセットした原稿からのコピーを行なう場合、操作パネル１１０にあるコピースタートボタン１１３が押下されたら、トレイ原稿搬送ローラ１２３を回転して原稿搬送を行なう。原稿は走行ユニット1３５、１３６からミラー、レンズを通してＣＣＤユニット１３８で画像読み込みを行う。読み取り終わった原稿は原稿排紙トレイ１３３に送られ、外部に排出される。
【００３１】
図４は、本発明の実施の形態にかかるＡＤＦの原稿読取後の引き出し原稿トレイへの搬送までの動作例を示すフローチャートであり、ＡＤＦ制御部１２１によって統括的に実行される。図において、まず、原稿の排出を排紙切替爪１３９により上部原稿トレイ１３２に切り替える（ステップＳ１１）。そして、当該原稿の読み取りが終了するまで待機し（ステップＳ１２）、終了するとトレイ戻し搬送炉に切り替え（ステップＳ１３）、さらにローラの回転方向を切り替え（ステップＳ１４）、引き出し原稿トレイ１３０への搬送を開始する。
【００３２】
すなわち、引き出し原稿トレイ１３０から搬送され読み込まれた原稿は排紙切替爪１３９および上部原稿トレイ給紙ローラ１２５を排出方向に回転させることにより、上部原稿トレイ１３２方向に排出される。引き出し原稿トレイ１３０内のすべての原稿の読み込みが終了したら、排紙切替爪１３９をトレイ戻し方向の搬送路に切り替える。上部原稿トレイ搬送ローラ１２５を給紙方向に回転させて原稿を再給紙して、搬送路切り替えによって読み取りユニット側搬送路を経過せずに引き出し原稿トレイ１３０の上部に搬送する。
【００３３】
つぎに、引き出し原稿トレイ１３０のロック／ロック解除の動作例について図５のフローチャートを参照し、説明する。本動作はＡＤＦ制御部１２１がロック部１２８を介して実行する。ロック部１２８のロック機構は、たとえばモータによりロックピンをトレイ側に突き出して制限するなどの手段で実現される。
【００３４】
図５において、まず、コピースタートボタン１１３が押下されると、ロック機構を動作させて引き出し原稿トレイ１３０をロックし（ステップＳ２１）、原稿搬送を開始する（ステップＳ２２）。その後、搬送動作中は搬送路にある搬送センサ１２９のチェックを行ない（ステップＳ２３）、ジャムが発生したか否かを判断する（ステップＳ２４）。
【００３５】
ここで、搬送センサ１２９の状態が規定時間内で正常な状態から外れ、ジャムの発生を検知したときには、原稿搬送を停止する（ステップＳ２８）。ステップＳ２４において、ジャムが発生していなければ、さらに原稿の搬送が終了したか否かを判断する（ステップＳ２５）。ここで、原稿の搬送が終了したと判断すると、原稿搬送を停止する（ステップＳ２６）。
【００３６】
ステップＳ２８で原稿搬送を停止した後、続いて、引き出し給紙センサ１２７に原稿があるか否かの判断を行なう（ステップＳ２９）。ここで、原稿のないことが確認されたら、引き出し原稿トレイ１３０のロックは解除する（ステップＳ２７）。一方、引き出し給紙センサ１２７にかかる原稿があったときには、引き出し原稿トレイ１３０のロックは解除せず、他の開閉部を開けて、装置内に留まっている原稿が取り除かれるのを待つ。引き出し原稿トレイ１３０にかかる原稿が取り除かれたところでロックを解除する。
【００３７】
このように、引き出し原稿トレイ１３０による搬送が行なわれていた場合や原稿の搬送ジャムが発生した場合に、この引き出し原稿トレイ１３０の引き出しが行なわれないようにロックすることにより、搬送中の原稿を損傷させたり、ジャム時の原稿を破損するといった事態を回避することができる。
【００３８】
また、上述したように引き出し原稿トレイ１３０による原稿搬送中やジャム発生時にトレイが引き出されないようにロックする際に、その状態を操作パネル１１０のディスプレイ１１１に表示したり、あるいは状態表示部１２２に専用のＬＥＤ（不図示）を設けて表示することにより、ロック状態を的確にユーザに知らせることができる。
【００３９】
つぎに、引き出し原稿トレイ１３０の原稿有無状態や読取終了状態を表示する例について説明する。図６は、本発明の実施の形態にかかるトレイ状態の表示方式の一例を示す説明図であり、図７はその拡大図である。これらの図において、符号１２２は状態表示部であり、引き出し原稿トレイ１３０に「用紙有」を示すＬＥＤ１２２ａ、「コピー済」を示すＬＥＤ１２２ｂが設けられている。
【００４０】
すなわち、図に示すように、引き出し原稿トレイ１３０の近くにＬＥＤ１２２ａ，ＬＥＤｂを配置して、引き出し原稿トレイ１３０に原稿のあるときＬＥＤ１２２ａを、および原稿のコピーが終了しているときにＬＥＤ１２２ｂを点灯させ、ユーザに対して引き出し原稿トレイ１３０の引き出し可否を認識させる。なお、この引き出し原稿トレイ１３０における用紙（原稿）有無の表示は、操作パネル１１０上において同時にあるいは単独で行ってもよい。
【００４１】
このように、引き出し原稿トレイ１３０を使用して原稿読み取りを行なう場合、引き出し原稿トレイ１３０に原稿が残っているか、また原稿読み取りが終了したかを、このＬＥＤ１２２ａ、ＬＥＤ１２２ｂの点灯によって外部から確認することができる。
【００４２】
つぎに、読み取り搬送後に、引き出し原稿トレイ１３０に回収せずに、オプショントレイに排紙する例について説明する。図８は、他のＡＤＦの構成例を示す説明図である。図において、符号１４０はオプション原稿排紙トレイ、符号１４１は原稿排紙切り替え爪、符号１４２はオプション排紙ローラである。
【００４３】
ユーザーにより操作パネル１１０上において、原稿排紙をオプション装置とする命令（たとえばディスプレイ１１１に設けられた排紙先のオブジェクトをタッチする）が行われたら、原稿排紙切り替え爪１４１をオプション原稿排紙トレイ１４０に排出する搬送路側として、読み取り終わった原稿を順次、オプション原稿排紙トレイ１４０に排出する。このように、後処理装置側のプリント紙近くに原稿を排出することにより、通常の原稿排出先より低く回収しやすい位置となり、原稿をより簡単に取り出すことができる。
【００４４】
なお、この実施の形態では、デジタル複写機にＡＤＦ１２０を搭載した例について示したが、この他に一般的なフロアー据え置き型の複写機やファクシミリ装置など、およびイメージスキャナなどの画像読取装置にも同様に適用可能であり、同様の効果が得られる。
【産業上の利用可能性】
【００４５】
以上のように、本発明にかかる自動原稿搬送装置は、複写機やファクシミリ装置などの画像形成装置、画像読取装置などに有用であり、特に、操作側に引き出し可能なトレイに原稿などの紙束をセットし、一枚ずつ所定位置に搬送し、所定の処理（データ読み取りなど）を行なった後に回収するといった画像形成装置、画像読取装置およびこれらのシステムに適している。
【図面の簡単な説明】
【００４６】
【図１】本発明の実施の形態にかかる自動原稿搬送装置（ＡＤＦ）を搭載した複写機の構成例を示す説明図である。
【図２】本発明の実施の形態にかかる自動原稿搬送装置（ＡＤＦ）の構成例を示す説明図である。
【図３】本発明の実施の形態にかかるＡＤＦと画像形成装置のシステム構成を示すブロック図である。
【図４】本発明の実施の形態にかかるＡＤＦの原稿読取後の引き出し原稿トレイへの搬送までの動作例を示すフローチャートである。
【図５】本発明の実施の形態にかかる引き出し原稿トレイのロック／ロック解除の動作例を示すフローチャートである。
【図６】本発明の実施の形態にかかるトレイ状態の表示方式の一例を示す説明図である。
【図７】図６の表示部分を示す拡大図である。
【図８】本発明の実施の形態にかかる他のＡＤＦの構成例を示す説明図である。
【符号の説明】
【００４７】
１００  画像形成装置
１０１  システムコントローラ
１０２  原稿読取部
１１０  操作パネル
１２０  ＡＤＦ
１２１  ＡＤＦ制御部
１２２  状態表示部
１２３  引き出し原稿トレイ原稿給紙ローラ
１２４  読み取り搬送ローラ
１２５  上部原稿トレイ給紙ローラ
１２６  ローラ駆動部
１２７  引き出し給紙センサ
１２８  ロック部
１２９  搬送センサ
１４０  オプション原稿排紙トレイ
１４１  原稿排紙切り替え爪
１４２  オプション排紙ローラ
【図１】
2005080213.tif 000003
【図２】
2005080213.tif 000004
【図３】
2005080213.tif 000005
【図４】
2005080213.tif 000006
【図５】
2005080213.tif 000007
【図６】
2005080213.tif 000008
【図７】
2005080213.tif 000009
【図８】
2005080213.tif 000010